(57)【要約】【課題】部品点数および組み立て工数を削減でき、製造コストを下げることができるとともに、機構全体の小型化および高強度化を実現できるようにする。【解決手段】オープンレバー２０とロックレバー３０を軸４１，４２によってシャーシ外枠１０に支持する。オープンレバー２０には作動片２６を形成し、ロックレバー３０にはロック爪部３７を形成する。オープンレバー２０とロックレバー３０にオープンばね５１を引っ掛け、シャーシ外枠１０とロックレバー３０にロックばね５２を引っ掛ける。外力Ｐ１によってオープンレバー２０をスライドさせたとき、ロックレバー３０に外力Ｐ２が作用していなければ、ロックレバー３０も同じ方向にスライドして、ロック爪部３７がオープンロッカー２の係合部３から外れる。ロックレバー３０に外力Ｐ２が作用している場合には、ロックレバー３０が動かず、オープンロッカー２のロックは解除されない。【選択図】        図１３
2004176783.tif 000002
【特許請求の範囲】
【請求項１】
機構ベース部と、
この機構ベース部の一面側に重ねて配置され、それぞれ一方向にスライド可能に前記機構ベース部に支持された第１レバーおよび第２レバーと、
前記第１レバーと前記第２レバーを連結するクラッチ用ばねと、
を備えるクラッチ機構。
【請求項２】
機構ベース部と、
この機構ベース部の一面側に重ねて配置され、それぞれ一方向にスライド可能に前記機構ベース部に支持された第１レバーおよび第２レバーと、
前記第１レバーと前記第２レバーを連結するクラッチ用ばねと、
前記第１レバーまたは前記第２レバーと前記機構ベース部を連結するロック用ばねと、
を備えるロック機構。
【請求項３】
請求項２記載のロック機構を備え、そのロック機構によってケース蓋体がロックされる収納装置。
【請求項４】
請求項２記載のロック機構を備え、そのロック機構によってケース上蓋がロックされるディスク記録再生装置。
【発明の詳細な説明】
【０００１】
【発明の属する技術分野】
この発明は、クラッチ機構、クラッチ機能付きロック機構、ケース蓋体ロック機構を備える収納装置、およびケース上蓋ロック機構を備えるポータブル型ミニディスク（登録商標）レコーダなどのディスク記録再生装置に関する。
【０００２】
【従来の技術】
クラッチ機構やロック機構は、各種の機器に用いられている。
【０００３】
例えば、特許文献１（特開平６−２３３０３０号公報）には、ファクシミリ装置の蓋開閉部の自動ロック機構として、ワンウェイクラッチやロックレバーを用いたものが示されており、特許文献２（特開平１１−２７１８７５号公報）には、ＡＰＳカメラのカートリッジ室の蓋開閉機構として、スライドレバーやロック機構を用いたものが示されている。
【０００４】
また、特許文献３（特開平８−２３５６７９号公報）には、テープレコーダなどの記録再生装置のスライドレバー積層支持構造として、シャーシに大径絞り部と小径絞り部を有する２段絞り部を一体成形して、その大径絞り部にロックレバーおよびスイッチレバーをスライド可能に支持し、小径絞り部に早送り操作レバーをスライド可能に支持し、小径絞り部をかしめるものが示されている。
【０００５】
さらに、ポータブル型ミニディスク（登録商標）レコーダの上蓋ロック機構として、図１４および図１５に示すようなクラッチ機能付きロック機構が考えられている。なお、以下では、ミニディスク（登録商標）を小径ディスクと称し、ポータブル型ミニディスク（登録商標）レコーダをポータブル小径ディスク記録再生装置と称する。
【０００６】
図１４および図１５のクラッチ機能付きロック機構では、図１４の断面図に示すように、シャーシ外枠１０の外側に、オープンレバー２０が配置され、シャーシ外枠１０の内側に、シャーシ外枠１０の延長方向においてオープンレバー２０と隔てて、ロックレバー３０が配置される。
【０００７】
オープンレバー２０およびロックレバー３０には、長孔２１，２２および３１，３２が形成され、それぞれ長孔２１，２２を介してシャーシ外枠１０に挿入された軸４５，４６が、かしめられることによって、オープンレバー２０がシャーシ外枠１０に支持されるとともに、それぞれ長孔３１，３２を介してシャーシ外枠１０に挿入された軸４７，４８が、かしめられることによって、ロックレバー３０がシャーシ外枠１０に支持される。
【０００８】
さらに、シャーシ外枠１０には、オープンレバー２０の支持部分とロックレバー３０の支持部分との間に、窓孔１９が形成され、図１５に示すように、ロックレバー３０には、ロック爪部３７が形成され、オープンレバー２０とロックレバー３０が、窓孔１９を通るオープンばね５１によって連結され、オープンレバー２０とシャーシ外枠１０が、ロックばね５２によって連結される。
【０００９】
図１５は、オープンばね５１のテンションによってオープンレバー２０とロックレバー３０が一体とされ、ロックばね５２のテンションによってオープンレバー２０およびロックレバー３０が左方向に寄せられて、ロックレバー３０のロック爪部３７が図１５では省略した上蓋に取り付けられたオープンロッカー２に噛み合い、上蓋がロックされた状態である。
【００１０】
この初期状態で、ユーザの操作によってオープンレバー２０に右方向の力Ｐ１を作用させると、オープンレバー２０が右方向にスライドし、このとき、ロックレバー３０に対して力Ｐ１と逆方向の、オープンばね５１のテンションより大きい力Ｐ２が作用していなければ、オープンレバー２０とロックレバー３０はオープンばね５１によって一体に連結されてクラッチ機構を構成しているので、ロックレバー３０も同じ方向にスライドして、ロックレバー３０のロック爪部３７がオープンロッカー２から外れ、上蓋を開けることができる。
【００１１】
これに対して、オープンレバー２０に力Ｐ１を作用させたとき、ロックレバー３０に力Ｐ２が作用している場合には、クラッチ機構がリリース状態となってオープンレバー２０とロックレバー３０が一体でなくなるため、オープンレバー２０のみが右方向にスライドし、ロックレバー３０は図１５に示す初期位置に対して動かない。
【００１２】
したがって、小径ディスクへの記録中は、ロックレバー３０に力Ｐ２が作用するように、ポータブル小径ディスク記録再生装置を構成することによって、小径ディスクへの記録中は、ユーザの操作によってオープンレバー２０に力Ｐ１を作用させても、ロックレバー３０のロック爪部３７によるオープンロッカー２のロックは解除されず、上蓋を開けることができないようになる。
【００１３】
このように、小径ディスクへの記録中は上蓋が開かないように構成するのは、ポータブル小径ディスク記録再生装置では、楽曲データなどのコンテンツデータの記録終了後、小径ディスクの内周部に当該コンテンツデータについてのＴＯＣ（Ｔａｂｌｅ  Ｏｆ  Ｃｏｎｔｅｎｔｓ）が記録され、コンテンツデータの記録中に上蓋が開いて記録が中断されると、ＴＯＣが記録されなくなってしまうからである。
【００１４】
【特許文献１】
特開平６−２３３０３０号公報。
【特許文献２】
特開平１１−２７１８７５号公報。
【特許文献３】
特開平８−２３５６７９号公報。
【００１５】
【発明が解決しようとする課題】
しかしながら、図１４および図１５に示した従来のクラッチ機能付きロック機構では、クラッチ機構として、オープンレバー２０およびロックレバー３０の２つのレバーを機構ベース部のシャーシ外枠１０に、別個の軸４５，４６および４７，４８によって別々に支持するので、部品点数および組み立て工数が多くなり、製造コストが高くなる。
【００１６】
また、オープンレバー２０とロックレバー３０を、それぞれのスライド方向に点在させるので、機構全体が大型化するとともに、機構ベース部のシャーシ外枠１０には、オープンレバー２０の支持部分とロックレバー３０の支持部分との間に、オープンばね５１を通す窓孔１９を形成するので、その部分においてロック機構（クラッチ機構）の機械的強度が低下する。
【００１７】
そこで、この発明は、クラッチ機構として、構造がシンプルで、部品点数および組み立て工数を削減することができ、製造コストを下げることができるとともに、機構全体の小型化および高強度化を実現することができるようにしたものである。
【００１８】
【課題を解決するための手段】
この発明のクラッチ機構は、
機構ベース部と、
この機構ベース部の一面側に重ねて配置され、それぞれ一方向にスライド可能に前記機構ベース部に支持された第１レバーおよび第２レバーと、
前記第１レバーと前記第２レバーを連結するクラッチ用ばねと、
を備えるものとする。
【００１９】
上記のように構成した、この発明のクラッチ機構では、第１レバーおよび第２レバーの２つのレバーを機構ベース部に、共通の軸によって同一の工程で支持することができるので、部品点数および組み立て工数を削減することができ、製造コストを下げることができる。
【００２０】
また、第１レバーと第２レバーを、それぞれのスライド方向に点在させずに、機構ベース部の一面側に重ねて配置するので、機構全体を小型化かつ高強度化することができる。
【００２１】
【発明の実施の形態】
〔クラッチ機構の実施形態：図１および図２〕
図１および図２は、この発明のクラッチ機構の一実施形態を示し、上蓋付き収納装置の上蓋ロック機構として構成した場合である。
【００２２】
この実施形態では、図１の断面図に示すように、シャーシ外枠１０の外側に、オープンレバー２０およびロックレバー３０が重ねて配置される。オープンレバー２０およびロックレバー３０には、長孔２１，２２および３１，３２が形成される。
【００２３】
そして、長孔３１，２１を介してシャーシ外枠１０に挿入された軸４１、および長孔３２，２２を介してシャーシ外枠１０に挿入された軸４２が、かしめられることによって、オープンレバー２０およびロックレバー３０がシャーシ外枠１０に支持される。
【００２４】
さらに、図２に示すように、ロックレバー３０には、ロック爪部３７が形成され、オープンレバー２０とロックレバー３０が、オープンばね５１によって連結され、オープンレバー２０とシャーシ外枠１０が、ロックばね５２によって連結される。
【００２５】
図２は、オープンばね５１のテンションによってオープンレバー２０とロックレバー３０が一体とされ、ロックばね５２のテンションによってオープンレバー２０およびロックレバー３０が左方向に寄せられて、ロックレバー３０のロック爪部３７が図２では省略した上蓋に取り付けられたオープンロッカー２に噛み合い、上蓋がロックされた状態である。
【００２６】
この初期状態で、ユーザの操作によってオープンレバー２０に右方向の力Ｐ１を作用させると、オープンレバー２０が右方向にスライドし、このとき、ロックレバー３０に対して力Ｐ１と逆方向の、オープンばね５１のテンションより大きい力Ｐ２が作用していなければ、オープンレバー２０とロックレバー３０はオープンばね５１によって一体に連結されてクラッチ機構を構成しているので、ロックレバー３０も同じ方向にスライドして、ロックレバー３０のロック爪部３７がオープンロッカー２から外れ、上蓋を開けることができる。
【００２７】
これに対して、オープンレバー２０に力Ｐ１を作用させたとき、ロックレバー３０に力Ｐ２が作用している場合には、クラッチ機構がリリース状態となってオープンレバー２０とロックレバー３０が一体でなくなるため、オープンレバー２０のみが右方向にスライドし、ロックレバー３０は図２に示す初期位置に対して動かない。
【００２８】
したがって、上蓋付き収納装置が、ある状態のときには、ロックレバー３０に力Ｐ２が作用するように、上蓋付き収納装置を構成することによって、上蓋付き収納装置が、ある状態のときには、ユーザの操作によってオープンレバー２０に力Ｐ１を作用させても、ロックレバー３０のロック爪部３７によるオープンロッカー２のロックは解除されず、上蓋を開けることができないようになる。
【００２９】
〔ポータブル小径ディスク記録再生装置の実施形態：図３〜図１３〕
図１および図２に示したようなクラッチ機能付きロック機構は、例えば、ポータブル小径ディスク記録再生装置の上蓋ロック機構として構成することができる。
【００３０】
（構成：図３〜図１０）
図３および図４は、その場合の実施形態を示し、便宜上、機構全体を２図に分け、シャーシ外枠１０を図３および図４の両方に示す。
【００３１】
この実施形態の上蓋ロック機構では、シャーシ基体６０の正面側に、シャーシ外枠１０が取り付けられ、シャーシ基体６０の上側に、上蓋１が取り付けられる。
【００３２】
シャーシ基体６０の正面部には、制動レバー６１が軸６２を支点に取り付けられ、小径ディスクへの記録中は、その制動レバー６１が図示するように正面方向に回転した位置にされて、後述の図１３の力Ｐ２で示すようにロックレバー３０を押え、後述のように上蓋１のロック状態が保持される。
【００３３】
また、シャーシ基体６０の左右側部には、持ち上げレバー６７および６８が、シャーシ基体６０の後方部６９の軸を支点に取り付けられ、後述のように上蓋１のロックが解除されたとき、図３では省略した持ち上げばねの力によって、持ち上げレバー６７および６８が上方に回転して上蓋１が開く。
【００３４】
上蓋１の正面内側には、オープンロッカー２が取り付けられ、上蓋１を閉じたとき、後述の図８および図１１に示すように、ロックレバー３０のロック爪部３７が、オープンロッカー２の係合部３に噛み合って上蓋１をロックする。
【００３５】
図４に示すように、シャーシ外枠１０の正面側には、オープンレバー２０およびロックレバー３０が重ねて配置される。オープンレバー２０には、長孔２１および２２が形成され、ロックレバー３０には、長孔３１および３２が形成され、軸４１および４２が、長孔３１，２１および３２，２２を介してシャーシ外枠１０の孔１１および１２に挿入され、かしめられることによって、オープンレバー２０およびロックレバー３０がシャーシ外枠１０に支持される。ただし、この実施形態では、後述のように、ロックレバー３０の長孔３２がカム孔とされる。
【００３６】
さらに、図３、図４および図５に示すように、シャーシ外枠１０には、ロックばね５２が通る窓孔１３が形成され、この窓孔１３に臨む部分に、ロックばね５２の一端を引っ掛けるためのフック１５が形成される。
【００３７】
また、図４および図６に示すように、オープンレバー２０には、オープンばね５１およびロックばね５２が通る窓孔２３が形成され、この窓孔２３に臨む部分に、オープンばね５１の一端を引っ掛けるためのフック２４が形成され、窓孔２３の上部に、正面側（外側）に突出し、上側に折り曲げられた、ロックレバー３０に対するストッパを兼ねる作動片２６が形成される。図６に示すように、作動片２６の途中には、溝２６ａが形成される。
【００３８】
また、図４および図７に示すように、ロックレバー３０には、オープンばね５１、ロックばね５２、および上述したオープンレバー２０の作動片２６が通る窓孔３３が形成され、この窓孔３３に臨む部分に、オープンばね５１の他端を引っ掛けるためのフック３４、ロックばね５２の他端を引っ掛けるためのフック３５、およびオープンレバー２０の作動片２６が当たる部分３６が形成され、ロックレバー３０の上部に、ロック爪部３７が形成される。
【００３９】
上述したようにロックレバー３０の長孔３２をカム孔とするのは、ロックレバー３０のロック爪部３７およびオープンロッカー２の係合部３の、形状の機械的な精度が十分に高くない場合でも、ロック爪部３７が係合部３に確実に噛み合うように、ロック爪部３７に図７の矢印３８で示すようなカム動作をさせるためである。
【００４０】
そして、図８に示すように、オープンレバー２０のフック２４およびロックレバー３０のフック３４に、オープンばね５１が引っ掛けられ、シャーシ外枠１０のフック１５およびロックレバー３０のフック３５に、ロックばね５２が引っ掛けられる。
【００４１】
図９に、図８の線Ａ−Ａでの断面を示す。オープンレバー２０の作動片２６は、ロックレバー３０の図７に示した窓孔３３から外側（正面側）に突出する。
【００４２】
さらに、図４に示すように、下部ケース７０に、オープン操作レバー７１が嵌め込まれる。
【００４３】
図９に示すように、オープン操作レバー７１の裏面には、内側に突出し、下側に折り曲げられた、側面部を有する係合片７２が形成され、その側面部がオープンレバー２０の作動片２６の図８に示した溝２６ａに挿入されるように、係合片７２が作動片２６に係合される。
【００４４】
これによって、オープン操作レバー７１とオープンレバー２０が一体化され、ユーザがオープン操作レバー７１を図８の右方向（図９の紙面の表側から裏側に向かう方向）にスライドさせたとき、オープンレバー２０がオープン操作レバー７１と一体に同じ方向にスライドする。
【００４５】
図１０に、上述した上蓋ロック機構を正面から見た図を示す。上蓋１、オープンロッカー２、下部ケース７０およびオープン操作レバー７１は省略しており、楕円の内側部分が図５〜図８に示した部分である。
【００４６】
（動作：図１１〜図１３）
図１１は、オープンばね５１のテンションによってオープンレバー２０とロックレバー３０が一体とされ、ロックばね５２のテンションによってオープンレバー２０およびロックレバー３０が左方向に寄せられて、ロックレバー３０のロック爪部３７がオープンロッカー２の係合部３に噛み合い、上蓋１がロックされた状態である。このとき、オープンばね５１は圧縮した状態にあり、ロックばね５２は伸長した状態にある。
【００４７】
この初期状態で、オープン操作レバー７１を図１２の右方向（図９の紙面の表側から裏側に向かう方向）にスライドさせると、上述したオープン操作レバー７１とオープンレバー２０との係合によって、オープンレバー２０の作動片２６に図１２の右方向の力Ｐ１が作用して、オープンレバー２０がオープン操作レバー７１と一体に同じ方向にスライドする。
【００４８】
このとき、小径ディスクへの記録中ではなく、図３に示した制動レバー６１が正面方向に回転していないで、ロックレバー３０に対して力Ｐ１と逆方向の、オープンばね５１のテンションより大きい力が作用していなければ、オープンレバー２０とロックレバー３０はオープンばね５１によって一体に連結されてクラッチ機構を構成しているので、図１２に示すように、ロックレバー３０も同じ方向にスライドして、ロックレバー３０のロック爪部３７がオープンロッカー２の係合部３から外れ、図３に示した持ち上げレバー６７および６８によって上蓋１が開く。このとき、ロックばね５２は圧縮された状態となる。
【００４９】
これに対して、小径ディスクへの記録中は、上述したように、制動レバー６１が正面方向に回転していて、ロックレバー３０を押えるので、図１３に示すように、ロックレバー３０に対して力Ｐ１と逆方向の、オープンばね５１のテンションより大きい力Ｐ２が作用する。
【００５０】
そのため、クラッチ機構はリリース状態となってオープンレバー２０とロックレバー３０は一体でなくなり、オープン操作レバー７１を図１３の右方向（図９の紙面の表側から裏側に向かう方向）にスライドさせたとき、上述したようにオープンレバー２０はオープン操作レバー７１と一体に同じ方向にスライドするが、図１３に示すように、ロックレバー３０は図１１に示した初期位置に対して動かない。
【００５１】
すなわち、小径ディスクへの記録中は、オープン操作レバー７１を、上蓋１を開ける方向にスライドさせても、オープンロッカー２のロック状態が保持されて、上蓋１は開かない。このとき、オープンばね５１は伸長した状態となる。
【００５２】
なお、図１２のようにロックレバー３０のロック爪部３７がオープンロッカー２の係合部３から外れ、上蓋１が開いた後は、図１２のように圧縮状態にあったロックばね５２が伸長して、ロックレバー３０、オープンレバー２０およびオープン操作レバー７１が一体に、図１２の左方向にスライドし、図１１の初期位置に復帰する。この状態で、上蓋１を閉じると、オープンロッカー２の係合部３がロックレバー３０のロック爪部３７の下側に入り込んで、機構全体が図１１の初期状態（ロック状態）に復帰する。
【００５３】
〔他の実施形態〕
上述した実施形態は、軸４１および４２をシャーシ外枠１０と別に形成する場合であるが、シャーシ外枠１０の素材によっては、２つの軸をシャーシ外枠１０と一体に形成して、その２つの軸を、オープンレバー２０およびロックレバー３０の長孔２１，３１および２２，３２に通した後、ロックレバー３０の外側で、かしめることもできる。
【００５４】
また、上述した実施形態は、オープンばね５１およびロックばね５２を軸４１，４２間に配置する場合であるが、レイアウトによっては、オープンばねおよびロックばねを２つの軸の間の外に配置することができ、その方が好ましいこともある。
【００５５】
また、オープンレバーとロックレバーの位置を入れ替えて、シャーシ外枠１０の外側にロックレバーを配置し、ロックレバーの外側にオープンレバーを配置してもよい。
【００５６】
さらに、オープンレバーおよびロックレバー以外の、一定の機能を実現するためのレバーを、オープンレバーおよびロックレバーに重ねて配置することもできる。
【００５７】
また、ロック機構としては、ポータブル小径ディスク記録再生装置の上蓋ロック機構に限らず、例えば、各種の収納装置のケース蓋体をロックする機構に適用することができる。
【００５８】
さらに、この発明のクラッチ機構は、ロック機構としてだけでなく、クラッチ機能を実現するものとして、各種の用途に使用することができる。
【００５９】
【発明の効果】
上述したように、この発明によれば、クラッチ機構として、部品点数および組み立て工数を削減することができ、製造コストを下げることができるとともに、機構全体の小型化および高強度化を実現することができる。
【図面の簡単な説明】
【図１】この発明のクラッチ機構の一実施形態の断面構成を示す図である。
【図２】この発明のクラッチ機構の一実施形態の機能構成を示す図である。
【図３】この発明のロック機構の一実施形態の一部を示す図である。
【図４】この発明のロック機構の一実施形態の一部を示す図である。
【図５】シャーシ外枠の例を示す図である。
【図６】オープンレバーの例を示す図である。
【図７】ロックレバーの例を示す図である。
【図８】この発明のロック機構の一実施形態の全体構成を示す図である。
【図９】図８の線Ａ−Ａでの断面を示す図である。
【図１０】この発明のポータブル小径ディスク記録再生装置の一実施形態のロック機構部分を示す図である。
【図１１】図８のロック機構の初期状態を示す図である。
【図１２】図８のロック機構のロック解除状態を示す図である。
【図１３】図８のロック機構の非ロック解除状態を示す図である。
【図１４】従来の上蓋ロック機構の断面構成を示す図である。
【図１５】従来の上蓋ロック機構の機能構成を示す図である。
【符号の説明】
主要部については図中に全て記述したので、ここでは省略する。
【図１】
2004176783.tif 000003
【図２】
2004176783.tif 000004
【図３】
2004176783.tif 000005
【図４】
2004176783.tif 000006
【図５】
2004176783.tif 000007
【図６】
2004176783.tif 000008
【図７】
2004176783.tif 000009
【図８】
2004176783.tif 000010
【図９】
2004176783.tif 000011
【図１０】
2004176783.tif 000012
【図１１】
2004176783.tif 000013
【図１２】
2004176783.tif 000014
【図１３】
2004176783.tif 000015
【図１４】
2004176783.tif 000016
【図１５】
2004176783.tif 000017